(57)【特許請求の範囲】
【請求項１】
筐体の内部と外部とを空間的に仕切る複数のカバー部材を備え、
前記カバー部材として、回動軸を中心に回動する開閉カバーを備える筐体構造において、
前記筐体構造における前記開閉カバーに突出部を備え、
前記筐体構造における前記開閉カバーとともに回動しない部分に前記突出部の先端部を囲む凹部を備え、
前記突出部の前記先端部は、前記開閉カバーの回動に伴って前記凹部の内側を回動し、
前記開閉カバーが閉鎖状態のときに、前記先端部と前記凹部の内側の面との間に隙間を形成し、前記隙間によって前記筐体の内部と外部とを連通することを特徴とする筐体構造。
【請求項２】
請求項１の筐体構造において、
前記回動軸は、前記凹部の内側に位置することを特徴とする筐体構造。
【請求項３】
請求項１または２の筐体構造において、
前記凹部を複数の部材によって形成することを特徴とする筐体構造。
【請求項４】
請求項３の筐体構造において、
前記凹部を形成する複数の部材の少なくとも一部が、前記開閉カバーを閉鎖した状態では、前記開閉カバーに覆われる内装部材であることを特徴とする筐体構造。
【請求項５】
請求項１乃至４の何れか一に記載の筐体構造において、
前記開閉カバーの表面に平行な仮想平面内に、前記突出部と前記凹部とが位置することを特徴とする筐体構造。
【請求項６】
請求項１乃至５の何れか一に記載の筐体構造において、
前記凹部に囲まれる前記突出部が複数であることを特徴とする筐体構造。
【請求項７】
請求項１乃至６の何れか一に記載の筐体構造において、
前記開閉カバーは、前記回動軸が鉛直方向に延在して、横開きに開閉することを特徴とする筐体構造。
【請求項８】
請求項１乃至６の何れか一に記載の筐体構造において、
前記開閉カバーは、前記回動軸が水平方向に延在して、縦開きに開閉することを特徴とする筐体構造。
【請求項９】
動作時に音を発生する音源装置と、前記音源装置を覆う筐体とを備えた電子機器において、
上記筐体として、請求項１乃至８の何れか一に記載の筐体構造を用いることを特徴とする電子機器。
【請求項１０】
画像形成装置において、
請求項９に記載の電子機器の構成を備えたことを特徴とする画像形成装置。
【発明の詳細な説明】
【技術分野】
【０００１】
本発明は、筐体構造、電子機器及び画像形成装置に関するものである。
【背景技術】
【０００２】
電子写真方式の画像形成装置では、筐体の内部に配置された画像を形成するための各装置を覆い、内部と外部とを空間的に仕切る外装カバーを備えている。この種の画像形成装置として、特許文献１には、外装カバーとして、筐体本体に対して回動軸を中心に回動する開閉カバーを備えた構成が記載されている。この外装カバーによって、筐体の内部から外部への音の伝達を抑制し、音漏れの発生を抑制することができるとされている。
【発明の概要】
【発明が解決しようとする課題】
【０００３】
しかしながら、特許文献１に記載の画像形成装置のように開閉カバーを備える構成では、開閉カバーにおける回動軸を設けた側の縁部と、この縁部に隣接する縁部を有する隣接カバーとの間に隙間を設けることが一般的である。この隙間から音漏れが発生するおそれがあった。
【課題を解決するための手段】
【０００４】
上述した課題を解決するために、本発明は、筐体の内部と外部とを空間的に仕切る複数のカバー部材を備え、前記カバー部材として、回動軸を中心に回動する開閉カバーを備える筐体構造において、前記筐体構造における前記開閉カバーに突出部を備え、前記筐体構造における前記開閉カバーとともに回動しない部分に前記突出部の先端部を囲む凹部を備え、前記突出部の前記先端部は、前記開閉カバーの回動に伴って前記凹部の内側を回動し、前記開閉カバーが閉鎖状態のときに、前記先端部と前記凹部の内側の面との間に隙間を形成し、前記隙間によって前記筐体の内部と外部とを連通することを特徴とするものである。
【発明の効果】
【０００５】
本発明によれば、開閉カバーを備える筐体構造で、音漏れを抑制することができるという優れた効果がある。
【図面の簡単な説明】
【０００６】
【図１】実施形態に係る外装開閉カバーと外装非回動カバーとの断面説明図。
【図２】実施形態に係る複写機の概略正面図。
【図３】実施形態に係る複写機の概略斜視図。
【図４】外装開閉カバーを閉鎖した状態の複写機の画像形成部を図２中の右側から見た外装開閉カバーの拡大説明図。
【図５】図４中の外装開閉カバーの右下部近傍の拡大斜視図。
【図６】外装開閉カバーを開放する際の外装開閉カバーの回転軌跡を示す断面説明図。
【図７】図１中のＢ−Ｂ断面における断面説明図。
【図８】変形例１に係る外装開閉カバーの説明図、（ａ）は、外装開閉カバーと外装非回動カバーとの断面説明図、（ｂ）は、（ａ）中のＣ−Ｃ断面における断面説明図。
【図９】変形例１の外装開閉カバーを開放する際の外装開閉カバーの回転軌跡を示す断面説明図。
【図１０】変形例１に係る外装開閉カバーと外装非回動カバーとの斜視説明図。
【図１１】図１０中の部分拡大図、（ａ）は領域「α」の拡大図、（ｂ）は領域「β」の拡大図。
【図１２】変形例１の外装開閉カバーの回動軸突部の近傍の拡大斜視図。
【図１３】変形例２に係る外装開閉カバーと外装非回動カバーとの断面説明図。
【図１４】変形例２の外装開閉カバーを開放する際の外装開閉カバーの回転軌跡を示す断面説明図。
【図１５】変形例３に係る外装開閉カバーと外装非回動カバーとの断面説明図。
【図１６】参考例に係る外装開閉カバーと外装非回動カバーとの断面説明図。
【発明を実施するための形態】
【０００７】
以下、本発明を適用した画像形成装置について説明する。
図２は、本実施形態に係る画像形成装置である複写機１の概略正面図である。
図２に示すように、複写機１は、タンデム型のカラー複写機である。また、複写機１は、自動原稿搬送装置（以下、ＡＤＦという）１０と、装置本体１１とから構成されている。また、装置本体１１は、記録媒体である用紙に画像を形成する画像形成部５と、画像形成部５に用紙を給紙する給紙部３と、画像読取部４とから構成されている。
【０００８】
ＡＤＦ１０は、原稿トレイ２０と、原稿給紙ローラ２１と、原稿搬送ベルト２２と、原稿排紙ローラ２３と、原稿排紙トレイ２４とを含んで構成されている。ＡＤＦ１０は、画像読取部４に対して開閉自在に取り付けられている。画像読取部４は、読取筐体４０と、走査光学ユニット４１と、コンタクトガラス４２とを含んで構成されている。コンタクトガラス４２は、画像読取部４の読取筐体４０の上部に設けられ、読取筐体４０の上面部を構成している。
【０００９】
給紙部３は、給紙カセット３０と、給紙装置３１とを備えている。三つの給紙カセット３０は用紙サイズの異なる記録媒体としての用紙を収容する。給紙装置３１は、給紙カセット３０に収納された用紙を画像形成部５の主搬送路７０まで搬送する。
画像形成部５の側面には、複写機１本体に対して回動軸を中心に回転させることで手差しトレイとして機能する外装開閉カバー６が画像形成部５に対して開閉可能に配設されている。外装開閉カバー６を開放した状態で、その上面に手差しされた紙束における一番上の用紙が、送出ローラによって主搬送路７０に向けて送り出される。
主搬送路７０には、レジストローラ対７０ａが配設されており、レジストローラ対７０ａは、主搬送路７０内を搬送されてくる用紙をローラ間に挟み込んだ後、所定のタイミングで二次転写ニップに向けて送り込む。
【００１０】
画像形成部５は、露光ユニット５１、タンデム画像形成部５０、中間転写ベルト４４、中間転写ローラ５５、二次転写装置５２、定着ユニット５３、主搬送路７０、反転搬送路７３、及び、排紙路６０などを有している。
図２に示すように、露光ユニット５１は、タンデム画像形成部５０に隣接して配置され。各色に対応した四つの感光体７４のそれぞれに露光を行う。
タンデム画像形成部５０は、中間転写ベルト４４の上であって、中間転写ベルト４４の回転方向に沿ってイエロー、シアン、マゼンタ、ブラックの四つの作像部７５から構成されている。個々の作像部７５は、感光体７４の周りに帯電装置、現像装置、感光体クリーニング装置、除電装置などを備え、一体的に支持するプロセスカートリッジを構成し、装置本体１１に対して着脱可能となっている。
【００１１】
タンデム画像形成部５０では、画像読取部４によって読み取られて色別分解された画像情報に基づいて、それぞれの感光体７４に色分けしてトナー像を形成するようになっている。また、それぞれの感光体７４に形成されたトナー像は、中間転写ベルト４４に転写されるようになっている。
一方、中間転写ベルト４４を挟んでタンデム画像形成部５０の反対側には、二次転写装置５２が設けられている。二次転写装置５２は、転写部材である二次転写ローラ５２１を有し、二次転写ローラ５２１を中間転写ベルト４４に押し当てることにより、二次転写ニップを形成している。この二次転写ニップでは、中間転写ベルト４４に転写されたトナー像を、給紙部３から搬送された用紙に転写する。
【００１２】
二次転写ニップでトナー画像が転写された用紙は、二つの支持ローラ５７に張架された用紙搬送ベルト５６により定着ユニット５３へ送り込まれる。
定着ユニット５３は、無端ベルトである定着ベルト５８に加圧ローラ５９を押し当てて構成している。定着ユニット５３では、加圧ローラ５９により用紙に熱と圧力を加えることにより、用紙に転写されたトナー像のトナーを溶融して、用紙に定着する。
トナー像が定着された用紙は、排紙搬送路としての排紙路６０を経由して機外の排紙トレイ６１上にスタックされる。
【００１３】
図２に示すように、二次転写装置５２および定着ユニット５３の下側には反転搬送路７３が設けられている。反転搬送路７３は、用紙の両面に画像を形成するために、定着ユニット５３から排出された用紙の表裏を反転させて、用紙を再び主搬送路７０を介して二次転写装置５２に供給するためのものである。
【００１４】
図３は、複写機１の概略斜視図である。
図３中の矢印「Ｄ」で示すように、外装開閉カバー６は、回動軸６ａを中心に回転することで、複写機１の右側面の外装の一部を開放し、矢印「Ｄ」とは逆方向に回転することで開放した部分を閉鎖する構成となっている。
また、図３中の矢印「Ｆ」で示すように、給紙部開閉カバー３５は、鉛直回動軸３５ａを中心に回転することで、複写機１の給紙部３の右側面の外装の一部を開放し、矢印「Ｆ」とは逆方向に回転することで開放した部分を閉鎖する構成となっている。
【００１５】
図４は、外装開閉カバー６を閉鎖した状態の複写機１の画像形成部５を図２中の右側から見た外装開閉カバー６の拡大説明図である。図５は、図４中の外装開閉カバー６の右下部近傍の拡大斜視図である。
図１は、外装開閉カバー６と外装非回動カバー（右側面上部カバー２及び右側面下部カバー７）との図４中のＡ−Ａ断面における断面説明図である。
【００１６】
図６は、図１に示す状態から外装開閉カバー６を開放する際の外装開閉カバー６の回転軌跡を示す断面説明図である。図６中の実線で示す閉鎖状態の外装開閉カバー６が回動軸６ａを中心に図６中の矢印Ｄ方向に回転することにより、図６中の一点鎖線で示す開放状態の位置に外装開閉カバー６を変位させることができる。本実施形態の複写機１では、図６に示すように、閉鎖状態から開放状態に外装開閉カバー６が回転する際の回転角度は９０［°］であるが、これに限るものではない。
【００１７】
図１、図３及び図４に示すように、画像形成部５の右側面の外装は、右側面上部カバー２と、右側面下部カバー７と、外装開閉カバー６との三つの外装カバーによって構成されている。
図４及び図５に示すように、外装開閉カバー６の左右の下部近傍には、外装開閉カバー６の左右の縁よりも外側に突き出した円柱状の回動軸突部６ｄを備える。右側面下部カバー７に設けた回動軸係合穴７ｂに回動軸突部６ｄが入り込むように、右側面下部カバー７に対して外装開閉カバー６を取り付ける。これにより、図６に示すように、右側面上部カバー２及び右側面下部カバー７に対して外装開閉カバー６が回動可能となる。
また、円柱状の回動軸突部６ｄの中心線となる仮想線が外装開閉カバー６の回動軸６ａとなる。
【００１８】
外装開閉カバー６を複写機１本体に対して閉鎖して図１の状態とすることで、外装開閉カバー６によって複写機１の内部と外部とが空間的に仕切られる。図１では、外装開閉カバー６を挟んで左側が複写機１の内部であり、右側が複写機１の外部である。
本実施形態では、右側面上部カバー２及び右側面下部カバー７が外装開閉カバー６に隣接する隣接カバーを構成する。また、右側面上部カバー２及び右側面下部カバー７は、外装開閉カバー６と共に回動しない非回動カバーであり、右側面下部カバー７が外装開閉カバー６を回動可能に支持する開閉カバー支持体を構成する。
【００１９】
複写機１では、各種ローラに回転駆動を伝達する駆動モータの駆動音や、各種ローラ等の移動部材の移動音、走査光学ユニット４１のポリゴンミラーの回転音等の様々な音が発生する。このような音が複写機１の外部に伝達し、周辺の人に不快感を与える騒音となるおそれがある。複写機１の外部と内部とを空間的に仕切る右側面上部カバー２、右側面下部カバー７及び外装開閉カバー６等の外装カバーは、内部で発生した音が外部に伝達することを抑制し、騒音の発生を抑制することができる。
【００２０】
図１及び図４に示すように、閉鎖状態の外装開閉カバー６の先端側（図１及び図４中の上側）の縁と、右側面上部カバー２との間には隙間（以下、「先端側隙間１２」と呼ぶ）が形成されている。また、図４に示すように、外装開閉カバー６の横方向両端の縁と、右側面下部カバー７との間には隙間（以下、「側端隙間１８」と呼ぶ）が形成されている。さらに、図１及び図４に示すように、外装開閉カバー６における回動軸６ａ側となる支持端側（図１及び図４中の下側）の縁と、右側面下部カバー７との間にも隙間（以下、「支持端側隙間１７」と呼ぶ）が形成されている。
【００２１】
外装開閉カバー６の先端側、横方向両端側及び支持端側の四辺の縁と隣接カバーである右側面上部カバー２及び右側面下部カバー７との間に隙間を設ける。これにより、外装開閉カバー６を開閉するときに、右側面上部カバー２と右側面下部カバー７とが干渉することを防止できる。
しかし、先端側隙間１２、側端隙間１８及び支持端側隙間１７は、複写機１の外装カバーを挟んだ内部と外部とを連通する隙間があるため、複写機１の内部で発生した音がこれらの隙間から外部に漏れ出るおそれがある。
【００２２】
また、外装開閉カバー６のように回動軸を中心に本体に対して回動可能な開閉カバーを備える筐体構造では、開閉カバーにおける回動軸を設けた側の縁部と、この縁部と隣接する縁部を有する隣接カバーとの間に隙間を設ける必要がある。
これは以下の理由による。
【００２３】
すなわち、開閉カバーを閉鎖した状態で開閉カバーの回動軸側の縁部を、隣接カバーに接触させることで、隙間を設けない構成とすることが考えられる。しかしながら、開閉カバーと、隣接カバーとには厚みがある。このため、開閉カバーの回動軸側の端面を隣接カバーに接触させた状態で、開閉カバーを回転させようとしても、上記端面の回転軌跡上に隣接カバーが位置することとなる。これにより、開閉カバーの開閉が行えない構成や、開閉を行うたびに開閉カバーの回動軸側の縁部と隣接カバーの縁部とが接触して破損し易い構成となってしまう。また、部品公差や組み付け公差、開閉時の操作性も考慮すると、隙間を設けない構成は現実的ではない。
【００２４】
このため、開閉カバーにおける回動軸側の縁部と、この縁部に隣接する隣接カバーとの間には隙間を設ける必要がある。
しかしながら、この隙間を通過して筐体構造の内部で発生した音が外部に漏れ出て騒音となるおそれがある。
これに対して、本実施形態の複写機１では、開閉カバーとしての外装開閉カバー６の支持端側の縁部と、隣接カバーである右側面下部カバー７との間に形成された隙間である支持端側隙間１７が、複数箇所の迂回部を有するラビリンス形状となっている。このため、複写機１の内部で発生し、支持端側隙間１７を通過して外部に向かおうとする音は、複数回回折しないと複写機１の外部に出ることができない。
これにより、外装開閉カバー６の支持端側の縁部と右側面下部カバー７との間に隙間を形成する構成で、音漏れを抑制することができる。
【００２５】
図１に示すように、外装開閉カバー６は、支持端側の縁部に複写機１の内部側に向けて突出した開閉カバー支持端側突部６ｂを備える。また、右側面下部カバー７は、外装開閉カバー６の支持端側の縁部と対向する開口下端面７ｃから上方に向けて延在する下部カバー突部７ａを備える。外装開閉カバー６が閉鎖状態のときに、開口下端面７ｃと下部カバー突部７ａの表面とによって形成される凹部の内側に、開閉カバー支持端側突部６ｂが入り込む構成となっている。そして、開口下端面７ｃと下部カバー突部７ａの表面とが開閉カバー支持端側突部６ｂの表面に接触せずに、開閉カバー支持端側突部６ｂの先端部の三方を囲むように対向することで支持端側隙間１７が形成される。
このような構成により、支持端側隙間１７によって形成される複写機１の内部から支持端側隙間１７を通過して外部に向かう経路が、複数箇所の屈曲部を有する形状となっている。
【００２６】
図１中の矢印「ａ」で示すように進行する音のうち、支持端側隙間１７における下部カバー突部７ａの先端面と、外装開閉カバー６の内壁面との間の部分である第一回折口１７ａで、回折した音が矢印「ｂ」で示すように進行する。
また、矢印「ｂ」で示すように進行する音のうち、支持端側隙間１７における下部カバー突部７ａの先端面と隣接する面と、開閉カバー支持端側突部６ｂの先端との間の部分である第二回折口１７ｂで、回折した音が矢印「ｃ」で示すように進行する。
さらに、矢印「ｃ」で示すように進行する音のうち、支持端側隙間１７における開閉カバー支持端側突部６ｂの先端面と、この先端面と対向する下部カバー突部７ａの表面との間の部分である第三回折口１７ｃで、回折した音が矢印「ｄ」で示すように進行する。
このように、複写機１の内部で生じた音が、支持端側隙間１７内で複数回回折しないと複写機１の外部に漏れ出ない構造にすることで、遮音効果を発揮することができる。
【００２７】
また、図１に示すように、外装開閉カバー６は、先端側の縁部に複写機１の内部側に向けて突出した開閉カバー先端側突部６ｃを備える。また、右側面上部カバー２は、外装開閉カバー６の先端側の縁部と対向する開口上端面２ｃから下方に向けて延在する上部カバー突部２ａを備える。
外装開閉カバー６が閉鎖状態のときに、開口上端面２ｃと上部カバー突部２ａの表面とによって形成される凹部の内側に、開閉カバー先端側突部６ｃが入り込む構成となっている。そして、閉鎖状態のときに、開口上端面２ｃと上部カバー突部２ａの表面とが開閉カバー先端側突部６ｃの表面に接触せずに開閉カバー先端側突部６ｃの三方を囲むように対向することで、先端側隙間１２が形成されている。先端側隙間１２も支持端側隙間１７と同様に複数箇所の迂回部を有するラビリンス形状となっており、遮音効果を発揮することができる。
【００２８】
さらに、側端隙間１８もラビリンス形状とすることで、外装開閉カバー６の四辺すべての縁と隣接カバー（右側面上部カバー２及び右側面下部カバー７）との間に隙間を設けた構成で、装置内部で発生した音が外部に漏れ出ることを抑制できる。
【００２９】
図１６は、外装開閉カバー６と右側面下部カバー７との間の支持端側隙間１７をラビリンス形状とした構成で、外装開閉カバー６を開閉することができない不具合が生じる参考例の説明図である。
上述したように、複写機１の内で発生した音は、外装カバー同士の隙間から複写機１の外部に伝達し、音漏れとなることがある。特に、外装開閉カバー６のような開閉カバーは、ほかの外装カバーとの境目で隙間が生じ易い。この外装カバー同士の境目の隙間をラビリンス構造にすることで、音漏れを抑制できる。
【００３０】
開閉カバーは、他の外装カバーとの境目となる四辺の縁部のうち、回動軸側の縁部以外の三辺の縁部は、他の外装カバーとの隙間をラビリンス構造とすることは比較的容易である。しかし、開閉カバーの先端を、回動軸を中心に装置の外側に向けて回動させて開閉カバーを開放しようとすると、開閉カバーの回動軸側の縁部は、回動軸を挟んで開閉カバーの先端に対して反対側に位置するため、装置の内側に向けて回動する。このとき、開閉カバーの回動軸側の縁部のラビリンス形状を形成する部分と、本体側のラビリンス形状を形成する部分とが干渉して、開閉カバーの開閉が行えない構成となることがある。
【００３１】
図１６に示す参考例では、外装開閉カバー６を、回動軸６ａを中心に図１６中の矢印「Ｄ」で示すように複写機１の外側に向けて回動させて開放しようとすると、開閉カバー支持端側突部６ｂは図１６中の矢印「Ｄ’」で示すように複写機１の内側に向けて回動する。しかし、図１６に示す参考例の構成では、外装開閉カバー６の支持端側の縁部のラビリンス形状を形成する部分である開閉カバー支持端側突部６ｂの回転軌跡上に本体側のラビリンス形状を形成する部分である下部カバー突部７ａが位置する。このため、開閉カバー支持端側突部６ｂと下部カバー突部７ａとが干渉し、図１６中の一点鎖線で示す開放状態の位置に外装開閉カバー６を変位させることができない構成となる。
【００３２】
これに対して、本実施形態の複写機１では、外装開閉カバー６の回動軸６ａがラビリンス形状の内側に位置している。具体的には、図１及び図６に示すように、回動軸６ａに平行な方向から見たときに、開口下端面７ｃと下部カバー突部７ａとによって形成される凹部の内側に、回動軸６ａが位置する構成となっている。回動軸６ａを凹部の内側に配置することで、閉鎖状態で凹部の内側に位置してラビリンス形状を形成する開閉カバー支持端側突部６ｂについて、外装開閉カバー６が回動軸６ａを中心に回動したときの回動半径を小さくすることができる。
【００３３】
図６に示すように、外装開閉カバー６を回動軸６ａを中心に図６中の矢印「Ｄ」で示すように複写機１の外側に向けて回動させて開放する際に、開閉カバー支持端側突部６ｂは回動軸６ａを中心に図６中の矢印「Ｅ」で示す方向に回転する。開閉カバー支持端側突部６ｂの回動半径が小さいため、開閉カバー支持端側突部６ｂは凹部内で下部カバー突部７ａに干渉することなく回動することができ、支持端側隙間１７にラビリンス形状を形成する構成を実現することができる。
よって、外装開閉カバー６の回動に必要な隙間（支持端側隙間１７）を確保しつつ、音漏れを抑制することができる。
【００３４】
図７は、図１中のＢ−Ｂ断面における断面説明図である。
図１に示すように、開閉カバー支持端側突部６ｂは外装開閉カバー６の開閉カバー外装面６ｆに直交する方向に突出している。また、開口下端面７ｃと下部カバー突部７ａの表面とが開閉カバー支持端側突部６ｂの先端部の三方を囲むように対向する。よって、図７に示す開閉カバー外装面６ｆに対して平行な断面内では、開閉カバー支持端側突部６ｂと、これを囲む凹部形状を形成する右側面下部カバー７及び下部カバー突部７ａが配置された構成となっている。これにより、支持端側隙間１７は複数の迂回部を有するラビリンス形状となる。
【００３５】
〔変形例１〕
次に、本実施形態に係る複写機１の一つ目の変形例（以下、「変形例１」と呼ぶ）について説明する。
図８は、変形例１に係る複写機１の外装開閉カバー６の説明図である。図８（ａ）は、外装開閉カバー６と外装非回動カバー（右側面上部カバー２及び右側面下部カバー７）との図４中のＡ−Ａ断面に対応する断面おける断面説明図であり、図８（ｂ）は、図８（ａ）中のＣ−Ｃ断面における断面説明図である。
【００３６】
図９は、図８（ａ）に示す状態から外装開閉カバー６を開放する際の外装開閉カバー６の回転軌跡を示す断面説明図である。図９中の実線で示す閉鎖状態の外装開閉カバー６が回動軸６ａを中心に図９中の矢印Ｄ方向に回転することにより、図９中の一点鎖線で示す開放状態の位置に外装開閉カバー６を変位させることができる。変形例１の複写機１では、図９に示すように、閉鎖状態から開放状態に外装開閉カバー６が回転する際の回転角度は９０［°］よりも大きい構成となっている。
【００３７】
図１０は、変形例１に係る複写機１の外装開閉カバー６と外装非回動カバー（右側面上部カバー２及び右側面下部カバー７）との斜視説明図である。図１０は、外装開閉カバー６をＹ軸方向の途中で切断した部分段面図となっている。図１１は、図１０中の部分拡大図であり、図１１（ａ）は、図１０中の領域「α」の拡大図であり、図１１（ｂ）は、図１０中の領域「β」の拡大図である。
図１２は、変形例１の外装開閉カバー６の図１０中の右下の回動軸突部６ｄの近傍の拡大斜視図である。
【００３８】
変形例１の複写機１における外装開閉カバー６の回動軸６ａは、図１に示す構成と同様に、凹部の内側に配置している。
変形例１の外装開閉カバー６は図８に示すように、開閉カバー支持端側突部６ｂを複数備える構成となっている。
【００３９】
開閉カバー支持端側突部６ｂが一つのみの構成の場合、次のような問題が生じるおそれがある。すなわち、開閉カバー支持端側突部６ｂの先端面とこれに対向する下部カバー突部７ａの上下に延在する部分の側方の表面との隙間を狭めようとすると、回動軸６ａから開閉カバー支持端側突部６ｂの先端までの長さが長くなる。このような場合、回動時に開閉カバー支持端側突部６ｂの先端と下部カバー突部７ａとの干渉を抑制するために、閉鎖状態における開閉カバー支持端側突部６ｂの上面と下部カバー突部７ａの上部で水平方向に延在する部分の下面との隙間を広く確保する必要が生じる。この隙間を広くすると、ラビリンス形状による音漏れ抑制の効果が低減する。
【００４０】
これに対して、変形例１では、開閉カバー支持端側突部６ｂを複数備え、図８及び図９に示す構成では、開閉カバー支持端側突部６ｂを三つ備えている。閉鎖状態で上下方向に三つ並んでいるうちの中央に位置する開閉カバー支持端側突部６ｂを、下部カバー突部７ａの上下に延在する部分の側方の表面に向けて図８（ａ）中の左方向に突き出した形状とすることで、この下部カバー突部７ａの表面との隙間を狭めている。さらに、この開閉カバー支持端側突部６ｂの根元に回動軸６ａが位置するため、下部カバー突部７ａの表面に向けて図８（ａ）中の左方向に突き出した形状であっても開閉カバー支持端側突部６ｂの先端の回動半径を小さくすることができる。
【００４１】
また、上下方向に三つ並んでいるうちの上方に位置する開閉カバー支持端側突部６ｂは、図８（ａ）中の左方向への突き出し量は小さいが、その上面と下部カバー突部７ａの上部で水平方向に延在する部分の下面との隙間を狭くしている。さらに、上下方向に三つ並んでいるうちの下方に位置する開閉カバー支持端側突部６ｂは、図８（ａ）中の左方向への突き出し量は小さいが、その下面と開口下端面７ｃとの隙間を狭くしている。
このような形状により、凹部の内側の三つの面と開閉カバー支持端側突部６ｂとの隙間を狭くすることができ、開閉カバー支持端側突部６ｂが凹部の内側で回動可能な構成を維持しつつ、音漏れの抑制の効果の向上を図ることができる。また、複数の開閉カバー支持端側突部６ｂを設けることで、一つの開閉カバー支持端側突部６ｂを肉厚にすることなく、凹部を形成する部材との支持端側隙間１７の間隔を調整することが可能となる。
【００４２】
また、複数の開閉カバー支持端側突部６ｂ同士を繋ぐ形状として突部補強リブ６ｅを備えている。図８（ａ）に直交する方向（Ｙ軸方向）の複数箇所に突部補強リブ６ｅを設けることで、強度及び遮蔽性の向上を図るとともに、支持端側隙間１７の幅の適正化を行っている。
【００４３】
また、変形例１の複写機１では、図８（ａ）に示すように、閉鎖状態における外装開閉カバー６の下端に開閉カバー外装面６ｆに対して傾斜した開閉カバー傾斜部６ｇを備える。さらに、右側面下部カバー７の開閉カバー傾斜部６ｇと対向する部分に右側面下部カバー７の下部カバー外装面７ｆに対して傾斜した下部カバー傾斜部７ｄを備える。開閉カバー傾斜部６ｇ及び下部カバー傾斜部７ｄを設けることで、外装開閉カバー６の下端と右側面下部カバー７とを干渉させずに外装開閉カバー６を回動できる角度の範囲を９０［°］よりも大きくすることが可能となる。
これにより、外装開閉カバー６の開放時の内部に対する操作性及び視認性の向上を図ることが出来る。
【００４４】
外装開閉カバー６の回動範囲の角度が大きいほど、外装開閉カバー６の支持端側の縁部と、右側面下部カバー７との隙間は広くなり、音が漏れ易くなる傾向がある。これに対して、変形例１では、開閉カバー傾斜部６ｇ及び下部カバー傾斜部７ｄとを設けることで、支持端側隙間１７における外装カバーの外部側の端部近傍が、内部側（図８（ａ）の左側）ほど狭くなるテーパー状となる。これにより、外装開閉カバー６の支持端側の縁部と開口下端面７ｃとが最も近づく位置における隙間を狭くしつつ、外装開閉カバー６の回動範囲の角度を９０［°］よりも大きくすることが可能となる。よって、外装開閉カバー６の回動範囲の角度を大きくしつつ、音漏れを抑制する性能を維持することができる。
【００４５】
〔変形例２〕
次に、本実施形態に係る複写機１の二つ目の変形例（以下、「変形例２」と呼ぶ）について説明する。
図１３は、変形例２に係る複写機１の外装開閉カバー６と外装非回動カバー（右側面上部カバー２及び右側面下部カバー７）との図４中のＡ−Ａ断面に対応する断面おける断面説明図である。図１４は、図１３に示す状態から外装開閉カバー６を開放する際の外装開閉カバー６の回転軌跡を示す断面説明図である。図９中の実線で示す閉鎖状態の外装開閉カバー６が回動軸６ａを中心に図９中の矢印Ｄ方向に回転することにより、図９中の一点鎖線で示す開放状態の位置に外装開閉カバー６を変位させることができる。
【００４６】
変形例２の複写機１は、外装開閉カバー６の支持端側の縁部近傍に、下部カバー突部７ａの先端部の三方を囲む凹部形状を形成し、その内側に、回動軸６ａが位置する構成である。変形例２の複写機１では、外装開閉カバー６の支持端側の縁部近傍に形成した凹部形状と、下部カバー突部７ａとの間にラビリンス形状の支持端側隙間１７が形成される。このような変形例２の構成であっても、上述した実施形態の構成と同様に、外装開閉カバー６の回動に必要な隙間を確保しつつ、音漏れを抑制することができる。
【００４７】
〔変形例３〕
次に、本実施形態に係る複写機１の三つ目の変形例（以下、「変形例３」と呼ぶ）について説明する。
図１５は、変形例３に係る複写機１の外装開閉カバー６と外装非回動カバー（右側面上部カバー２及び右側面下部カバー７）との図４中のＡ−Ａ断面に対応する断面おける断面説明図である。図１５では、閉鎖状態から外装開閉カバー６を開放する際の外装開閉カバー６の回転軌跡を示している。
【００４８】
図１５に示すように、変形例３の複写機１は、外装開閉カバー６を閉鎖した状態では、外装開閉カバー６に覆われる内装部材としてのインナーカバー８を備える。インナーカバー８は、右側面上部カバー２及び右側面下部カバー７とともに複写機１本体のフレームに固定されており、隣接カバーの一部である。そして、開閉カバー支持端側突部６ｂの表面に接触せずに、開閉カバー支持端側突部６ｂの先端部の三方を囲むように対向することで支持端側隙間１７を形成する凹部形状の一部をインナーカバー８が担っている。
変形例３の複写機１でも、支持端側隙間１７はラビリンス形状となっており、外装開閉カバー６の回動に必要な隙間を確保しつつ、音漏れを抑制することができる。
【００４９】
上述した実施形態及び各変形例では、水平方向に延在する回動軸６ａを中心に縦方向に開閉する縦開き型の外装開閉カバー６について説明した。
上述した支持端側隙間１７をラビリンス形状にする構成や先端側隙間１２及び側端隙間１８をラビリンス形状にする構成は、鉛直方向に延在する鉛直回動軸３５ａを中心に横方向に開閉する横開き型の給紙部開閉カバー３５（図３参照）にも適用可能である。
【００５０】
上述した実施形態及び各変形例の複写機１が有する支持端側隙間１７は、外装カバーの内部と外部とを直線的に結び得る空気の経路に複数箇所の迂回部を設け、経路を複数回迂回させる形状である。このように、気体の経路を複数回迂回させることで、複写機１の内部で発生し、気体の経路である支持端側隙間１７を通過して外部に向かおうとする音は複数回回折しないと複写機１の外部に出ることは出来ない。そして、複数回回折させることで音を減衰させることができ、音漏れを抑制することができる。
【００５１】
上述した実施形態及び各変形例では、空気の経路を迂回させる形状の迂回部を、カバー部材を直角に曲げることで形成している。迂回部を形成するカバー部材の形状としては、連続的に湾曲した形状としてもよい。
【００５２】
上述した実施形態及び各変形例では、開閉カバーである外装開閉カバー６と固定された外装カバーである右側面下部カバー７またはインナーカバーとの間にラビリンス形状の支持端側隙間１７を形成する構成である。ラビリンス形状の支持端側隙間１７を形成する部材としては、外装カバーやインナーカバーに限らず、複写機１の本体フレームの一部が支持端側隙間１７の一部を形成する構成としてもよい。この場合、本体フレームが隣接カバーとして機能する。
【００５３】
また、開閉カバーの支持端側の隙間を形成する開閉カバーとしては、外装開閉カバー６のように複写機１の外装を形成する部材に限るものではない。他の外装カバーを取り外すことによって露出する、または、開閉可能な外装カバーを開放することによって露出する、内装カバー（「インナーカバー」ともいう）で開閉する部材であってもよい。
また、開閉カバーの支持端側の隙間を形成する開閉カバーとしては、画像形成装置の外装カバーや内装カバーに限らず、走査光学ユニット４１や駆動装置等の画像形成装置の内部に配置された装置の筐体構造のカバー部材であってもよい。
【００５４】
本実施形態では、開閉カバーを備える筐体構造が画像形成装置の筐体である場合について説明した。しかし、動作時に音を発生する音源部と、この音源部が配置された内部と外部とを空間的に仕切る開閉カバーとを備える構成であれば画像形成装置以外の電子機器でも同様の構成を適用可能である。
さらに、電子機器に限らず、内部から外部への音漏れの抑制を求められる筐体構造であれば開閉カバーの支持端側の隙間にラビリンス形状を形成する構成は適用可能である。
【００５５】
また、開閉カバーの回動軸側の隙間にラビリンス形状を形成する構成としては、開閉カバーと隣接カバーとの一方に突出部を備え、他方に突出部を囲むように隙間を形成する凹部を備える構成に限るものではない。開閉カバーの回動軸側の隙間にラビリンス形状を形成し、開閉カバーの開閉動作時に開閉カバーと隣接カバーとが干渉しない構成であればよい。
【００５６】
以上に説明したものは一例であり、次の態様毎に特有の効果を奏する。
【００５７】
（態様Ａ）
筐体の内部と外部とを空間的に仕切る右側面上部カバー２、右側面下部カバー７及び外装開閉カバー６等の複数のカバー部材を備え、カバー部材として、回動軸６ａ等の回動軸を中心に回動する外装開閉カバー６等の開閉カバーと、開閉カバーの回動軸の側の縁部と隣接する縁部を有する右側面下部カバー７等の隣接カバーとを備え、開閉カバーの回動軸の側の縁部と、隣接カバーの縁部との間に支持端側隙間１７等の隙間を形成する複写機１の外装等の筐体構造において、開閉カバーと隣接カバーとの一方に開閉カバー支持端側突部６ｂ等の突出部を備え、他方に突出部の先端部を囲むように支持端側隙間１７等の隙間を形成する凹部（開口下端面７ｃと下部カバー突部７ａの表面とによって形成される凹部形状等）を備える。
これによれば、上記実施形態について説明したように、凹部によって、突出部の先端を囲むように隙間が形成されていることにより、隙間が複数箇所の迂回部を有する形状となる。これにより、筐体内部で発生し、隙間における複数箇所の迂回部を通過して外部に向かおうとする音は複数回回折する。複数回回折する際に音は小さくなるため、隙間を設けた構成であってもこの隙間からの音漏れを抑制することができる。よって、態様Ａでは、開閉カバーを備える筐体構造で、音漏れを抑制することができる。
なお、迂回部は、直線的に結び得る経路に設けた屈曲部または湾曲部であり、音が伝達する経路を直線的に結ぶよりも遠回りさせる部分である。上述した実施形態では、経路が直角に屈曲する屈曲部を複数有する構成であるが、経路が曲線状に向きが変わる湾曲部を複数有する構成であってもよい。
【００５８】
（態様Ｂ）
態様Ａにおいて、回動軸６ａ等の回動軸は、凹部（開口下端面７ｃと下部カバー突部７ａの表面とによって形成される凹部形状等）の内側に位置する。
これによれば、上記実施形態について説明したように、開閉カバー支持端側突部６ｂ等の突出部の回動半径を小さくすることができ、突出部は凹部内で右側面下部カバー７等の凹部を形成する部材に干渉することなく回動する構成が実現できる。これにより、支持端側隙間１７等の隙間に複数箇所の迂回部を有する形状を形成しつつ、外装開閉カバー６等の開閉カバーを回動可能とする構成を実現することができる。
【００５９】
（態様Ｃ）
態様ＡまたはＢにおいて、隣接カバーの少なくとも一部が、筐体の内部と外部とを空間的に仕切る右側面下部カバー７等の外装カバーである。
これによれば、上記実施形態について説明したように、外装開閉カバー６等の開閉カバーを備える筐体構造で、音漏れを抑制する構成を実現することができる。
【００６０】
（態様Ｄ）
態様Ａ乃至Ｃの何れかにの態様において、隣接カバーの少なくとも一部が、外装開閉カバー６等の開閉カバーを閉鎖した状態では、開閉カバーに覆われるインナーカバー８等の内装部材である。
これによれば、上記変形例３について説明したように、外装開閉カバー６等の開閉カバーを備える筐体構造で、音漏れを抑制する構成を実現することができる。
【００６１】
（態様Ｅ）
態様Ａ乃至Ｄの何れかにの態様において、外装開閉カバー６等の開閉カバーの表面に平行な仮想平面（Ｂ−Ｂ断面等）内に、開閉カバー支持端側突部６ｂ等の突出部と凹部（右側面下部カバー７の開口下端面７ｃを形成する部分及び下部カバー突部７ａ等）とが位置する。
これによれば、上記実施形態について説明したように、支持端側隙間１７等の隙間に複数箇所の迂回部を有する構成を実現することができる。
【００６２】
（態様Ｆ）
態様Ａ乃至Ｅの何れかの態様において、凹部（開口下端面７ｃと下部カバー突部７ａの表面とによって形成される凹部形状等）に囲まれる開閉カバー支持端側突部６ｂ等の突出部が複数である。
これによれば、上記変形例１について説明したように、突出部を肉厚にすることなく、凹部との間に形成される支持端側隙間１７等の隙間の間隔を調整することが可能となる。
【００６３】
（態様Ｇ）
態様Ｆにおいて、複数の開閉カバー支持端側突部６ｂ等の突出部として互いに突出量が異なる突出部を備える。
これによれば、上記変形例１について説明したように、回動時に突出部が凹部を形成する部材に干渉しないように、回動軸６ａ等の回動軸に対するそれぞれの突出部の突き出し量を調節することが可能となる。
【００６４】
（態様Ｈ）
態様ＦまたはＧの態様において、複数の開閉カバー支持端側突部６ｂ等の突出部同士を繋げる突部補強リブ６ｅ等の突出部間接続部を備える。
これによれば、上記変形例１について説明したように、外装開閉カバー６等の開閉カバーの強度の向上、及び、開閉カバーによる遮蔽性の向上を図ることが可能となる。
【００６５】
（態様Ｉ）
筐体の内部と外部とを空間的に仕切る右側面上部カバー２、右側面下部カバー７及び外装開閉カバー６等の複数のカバー部材を備え、カバー部材として、回動軸６ａ等の回動軸を中心に回動する外装開閉カバー６等の開閉カバーと、開閉カバーの回動軸の側の縁部と隣接する縁部を有する右側面下部カバー７等の隣接カバーとを備え、開閉カバーの回動軸の側の縁部と、隣接カバーの縁部との間に支持端側隙間１７等の隙間を形成する複写機１の外装等の筐体構造において、前記筐体の内部から前記隙間を通過して外部に向かう経路が、複数箇所の迂回部を有する。
これによれば、上記実施形態について説明したように、隙間における複数箇所の迂回部を通過して外部に向かおうとする音は複数回回折する。複数回回折する際に音は小さくなるため、隙間を設けた構成であってもこの隙間からの音漏れを抑制することができる。よって、態様Ａでは、開閉カバーを備える筐体構造で、音漏れを抑制することができる。
【００６６】
（態様Ｊ）
態様Ａ乃至Ｉの何れかの態様において、外装開閉カバー６等の開閉カバーの回動角度が９０［°］以上である。
これによれば、上記変形例１について説明したように、外装開閉カバー６の開閉動作の操作性の向上と、開閉カバーの開放時の内部に対する操作性及び視認性の向上を図ることが出来る。
【００６７】
（態様Ｋ）
態様Ａ乃至Ｊの何れかの態様において、支持端側隙間１７等の隙間における外装カバー等の筐体の外部側の端部近傍は、内部側ほど狭くなるテーパー状である。
これによれば、上記変形例１について説明したように、開閉カバーの回動範囲の角度を大きくしつつ、音漏れを抑制する性能を維持することができる。
【００６８】
（態様Ｌ）
態様Ａ乃至Ｋの何れかの態様において、外装開閉カバー６等の開閉カバーにおける回動軸６ａ等の回動軸の側の縁部以外の縁部である非回動軸側縁部と、右側面上部カバー２及び右側面下部カバー７等の隣接カバーにおける非回動軸側縁部に隣接する縁部との間の隙間として先端側隙間１２及び側端隙間１８等の非回動軸側隙間を形成し、筐体の内部から非回動軸側隙間を通過して外部に向かう経路が、複数箇所の迂回部を有する。
これによれば、上記実施形態について説明したように、非回動軸側隙間を備えることで、開閉カバーを開閉するときに、隣接カバーが干渉することを防止できる。また、非回動軸側隙間における複数の迂回部を通過して外部に向かおうとする音は複数回回折する。複数回回折する際に音は小さくなるため、装置内部で発生した音が非回動軸側隙間から外部に漏れ出ることを抑制できる。上述した実施形態では、外装開閉カバー６における支持端側の縁部以外の三辺の縁に突出部を備える。そして、これら三辺の縁部との間に非回動軸側隙間を形成する右側面上部カバー２及び右側面下部カバー７に突出部の先端部を囲むように非回動軸側隙間を形成する凹部を備える構成となっている。これにより、外装開閉カバー６の全周の縁部の隙間が複数箇所の迂回部を有する構成となり、装置内部で発生した音が外部に漏れ出ることを抑制できる。
【００６９】
（態様Ｍ）
態様Ａ乃至Ｌの何れかの態様において、給紙部開閉カバー３５等の開閉カバーは、鉛直回動軸３５ａ等の回動軸が鉛直方向に延在して、横開きに開閉する
これによれば、上記実施形態について説明したように、横開きの開閉カバーで、音漏れを抑制する構成を実現することができる。
【００７０】
（態様Ｎ）
態様Ａ乃至Ｌの何れかの態様において、外装開閉カバー６等の開閉カバーは、回動軸６ａ等の回動軸が水平方向に延在して、縦開きに開閉する。
これによれば、上記実施形態について説明したように、縦開きの開閉カバーで、音漏れを抑制する構成を実現することができる。
【００７１】
（態様Ｏ）
動作時に音を発生する駆動モータや走査光学ユニット４１等の音源装置と、音源装置を覆う外装カバー等の筐体とを備えた複写機１等の電子機器において、筐体として、態様Ａ乃至Ｎの何れかの態様に係る筐体構造を用いる。
これによれば、上記実施形態について説明したように、外装開閉カバー６等の開閉カバーを備える電子機器の動作時に生じる音が外部に漏れ出ることを抑制できる。
【００７２】
（態様Ｐ）
複写機１等の画像形成装置において、態様Ｏに係る電子機器の構成を備える。
これによれば、上記実施形態について説明したように、外装開閉カバー６等の開閉カバーを備える画像形成装置の画像形成時に生じる音が外部に漏れ出ることを抑制できる。
【符号の説明】
【００７３】
１  複写機
２  右側面上部カバー
２ａ  上部カバー突部
２ｃ  開口上端面
３  給紙部
４  画像読取部
５  画像形成部
６  外装開閉カバー
６ａ  回動軸
６ｂ  開閉カバー支持端側突部
６ｃ  開閉カバー先端側突部
６ｄ  回動軸突部
６ｅ  突部補強リブ
６ｆ  開閉カバー外装面
６ｇ  開閉カバー傾斜部
７  右側面下部カバー
７ａ  下部カバー突部
７ｂ  回動軸係合穴
７ｃ  開口下端面
７ｄ  下部カバー傾斜部
７ｆ  下部カバー外装面
８  インナーカバー
１１  装置本体
１２  先端側隙間
１７  支持端側隙間
１７ａ  第一回折口
１７ｂ  第二回折口
１７ｃ  第三回折口
１８  側端隙間
２０  原稿トレイ
２１  原稿給紙ローラ
２２  原稿搬送ベルト
２３  原稿排紙ローラ
２４  原稿排紙トレイ
３０  給紙カセット
３１  給紙装置
３５  給紙部開閉カバー
３５ａ  鉛直回動軸
４０  読取筐体
４１  走査光学ユニット
４２  コンタクトガラス
４４  中間転写ベルト
５０  タンデム画像形成部
５１  露光ユニット
５２  二次転写装置
５３  定着ユニット
５５  中間転写ローラ
５６  用紙搬送ベルト
５７  支持ローラ
５８  定着ベルト
５９  加圧ローラ
６０  排紙路
６１  排紙トレイ
７０  主搬送路
７０ａ  レジストローラ対
７３  反転搬送路
７４  感光体
７５  作像部
５２１  二次転写ローラ
【先行技術文献】
【特許文献】
【００７４】
【特許文献１】特開２０１５−１８１１５７号公報
【図１】
0006432851.tif 000002
【図２】
0006432851.tif 000003
【図３】
0006432851.tif 000004
【図４】
0006432851.tif 000005
【図５】
0006432851.tif 000006
【図６】
0006432851.tif 000007
【図７】
0006432851.tif 000008
【図８】
0006432851.tif 000009
【図９】
0006432851.tif 000010
【図１０】
0006432851.tif 000011
【図１１】
0006432851.tif 000012
【図１２】
0006432851.tif 000013
【図１３】
0006432851.tif 000014
【図１４】
0006432851.tif 000015
【図１５】
0006432851.tif 000016
【図１６】
0006432851.tif 000017